(57)【要約】【課題】２回目の記録時におけるジッタ増大を抑制する。【解決手段】書換可能な光ディスクにデータを記録する光ディスク装置は、消去パワーに記録パワーを重畳したレーザ光を照射してデータを記録する。初回記録時の消去パワーを２回目以降の記録時における消去パワーよりも増大させ、初回記録時の消去比を増大させる。あるいは、初回記録時の消去パワーを増大させるとともに、初回記録時の記録パワーを２回目以降の記録時における記録パワーよりも低減させる。【選択図】図３
2007305219.tif 000002
【特許請求の範囲】
【請求項１】
書換可能な光ディスクにデータを記録する光ディスク装置であって、
消去パワーに記録パワーを重畳してデータを記録するデータ記録手段と、
光ディスクの記録すべきエリアが未記録エリアである場合に、既記録エリアである場合よりも前記記録パワーに対する前記消去パワーの比を増大させる制御手段と、
を有することを特徴とする光ディスク装置。
【請求項２】
請求項１記載の装置において、
前記制御手段は、前記光ディスクの記録すべきエリアが未記録エリアである場合に、既記録エリアである場合よりも前記消去パワーを増大させることを特徴とする光ディスク装置。
【請求項３】
請求項１記載の装置において、
前記制御手段は、前記光ディスクの記録すべきエリアが未記録エリアである場合に、既記録エリアである場合よりも前記消去パワーを増大させるとともに前記記録パワーを低減させることを特徴とする光ディスク装置。
【請求項４】
請求項１記載の装置において、
前記制御手段は、前記光ディスクのテストエリアにて記録パワーを変化させてテストデータを試し書きし、該テストデータを再生して得られる再生信号品質に基づいて設定された最適記録パワー及び最適消去パワーに対し、前記光ディスクの記録すべきエリアが未記録エリアである場合に、前記最適消去パワーを増大させることを特徴とする光ディスク装置。
【請求項５】
請求項１記載の装置において、
前記制御手段は、前記光ディスクのテストエリアにて記録パワーを変化させてテストデータを試し書きし、該テストデータを再生して得られる再生信号品質に基づいて設定された最適記録パワーに対し、前記光ディスクの記録すべきエリアが未記録エリアである場合に所定の係数ε１を乗じて消去パワーに設定し、前記光ディスクの記録すべきデータが既記録エリアである場合に所定の係数ε（０＜ε＜ε１＜１）を乗じて消去パワーに設定することを特徴とする光ディスク装置。
【請求項６】
書換可能な光ディスクにデータを記録する光ディスク装置であって、
消去パワーに記録パワーを重畳してデータを記録するデータ記録手段と、
前記光ディスクに対する初回記録時に、２回目以降の記録時に比べて前記消去パワーを増大させる制御手段と、
を有することを特徴とする光ディスク装置。
【請求項７】
請求項６記載の装置において、
前記制御手段は、前記初回記録時に、２回目以降の記録時に比べて前記消去パワーを増大させるとともに前記記録パワーを低減させることを特徴とする光ディスク装置。
【請求項８】
光ディスク装置から照射される、消去パワーに記録パワーが重畳されたレーザ光によりデータが記録される書換可能な光ディスクであって、
初回記録時の消去パワー及び２回目以降の記録時の消去パワーに関する情報が所定エリアに記録され、初回記録時の消去パワーは２回目以降の記録時の消去パワーよりも大きいことを特徴とする光ディスク。
【発明の詳細な説明】
【技術分野】
【０００１】
本発明は光ディスク装置、特に書換可能な光ディスクにデータを記録する場合のパワー制御に関する。
【背景技術】
【０００２】
従来より、ＣＤ±ＲＷやＤＶＤ±ＲＷ、ＤＶＤ−ＲＡＭ等の書換可能な光ディスクにデータを記録する光ディスク装置において、データの上書き（オーバライト）特性を向上させる技術が提案されている。
【０００３】
下記の特許文献１には、相変化型光記録媒体において、記録されるべき領域について、ジッタは製造後、初回の記録よりも２回目の記録で増大し、その後記録を繰り返すに従って減少することに鑑み、予め少なくとも３回の記録を行うこと、すなわち、少なくとも２回のオーバライトを行うことでその後の記録においてジッタを低減させ、読み取りエラーを低減させることが記載されている。ジッタが初回の記録よりも２回目の記録で増大する理由、及びその後のオーバライトで再び減少する理由については、製造後の全面的に未記録である状態に最初に所定位置に記録した記録マークと、記録マークが記録された所定位置にオーバライトして得られた記録マークとでは、記録状態に対応する記録層の相状態や未記録状態に対応する記録層の相状態に原子の配列等何らかの差異があり、オーバライトを繰り返すことによりこの差異が徐々に小さくなり、何回かのオーバライト後には最初の状態と差異がなくなるためと記載されている。
【０００４】
また、下記の特許文献２には、相変化型光記録媒体において、未記録領域への記録に要する時間を短縮するとともに、その場合のジッタを低減するため、記録層の未記録領域に記録を行う際に使用する線速度をＶｗ、消去パワーをＰｅｗ、オーバライト時に使用する線速度をＶｏ、消去パワーをＰｅｏとした場合に、Ｖｗ／Ｖｏ＞１、かつ、０．３＜Ｐｅｗ／Ｐｅｏ＜１とすることが記載されている。
【０００５】
また、下記の特許文献３には、光ディスクの未記録エリアにデータを記録する際には、既記録エリアにデータを記録する場合に比べて記録パワーを小さく設定することが記載されている。
【０００６】
【特許文献１】特開２００１−１２６２６５号公報
【特許文献２】特開２００１−３４４７６３号公報
【特許文献３】特開２００３−２３３９０７号公報
【発明の開示】
【発明が解決しようとする課題】
【０００７】
しかしながら、初回の記録よりも２回目の記録でジッタが増大してしまうことを防止するために、予め少なくとも３回の記録を行う構成では、予め２回のオーバライトを行う必要があることから処理時間が増大してしまうとともに、書換回数の低下を招く問題もある。
【０００８】
本発明は、上記従来技術の有する課題に鑑みなされたものであり、その目的は、初回の記録よりも２回目の記録でジッタが増大してしまう事態を抑制し、高品質でデータを記録することができる装置を提供することにある。
【課題を解決するための手段】
【０００９】
本発明は、書換可能な光ディスクにデータを記録する光ディスク装置であって、消去パワーに記録パワーを重畳してデータを記録するデータ記録手段と、光ディスクの記録すべきエリアが未記録エリアである場合に、既記録エリアである場合よりも前記記録パワーに対する前記消去パワーの比を増大させる制御手段とを有することを特徴とする。
【００１０】
本発明の１つの実施形態では、前記制御手段は、前記光ディスクの記録すべきエリアが未記録エリアである場合に、既記録エリアである場合よりも前記消去パワーを増大させる。
【００１１】
また、本発明の他の実施形態では、前記制御手段は、前記光ディスクの記録すべきエリアが未記録エリアである場合に、既記録エリアである場合よりも前記消去パワーを増大させるとともに前記記録パワーを低減させる。
【００１２】
また、本発明は、書換可能な光ディスクにデータを記録する光ディスク装置であって、消去パワーに記録パワーを重畳してデータを記録するデータ記録手段と、前記光ディスクに対する初回記録時に、２回目以降の記録時に比べて前記消去パワーを増大させる制御手段とを有することを特徴とする。
【００１３】
また、本発明は、光ディスク装置から照射される、消去パワーに記録パワーが重畳されたレーザ光によりデータが記録される書換可能な光ディスクであって、初回記録時の消去パワー及び２回目以降の記録時の消去パワーに関する情報が所定エリアに記録され、初回記録時の消去パワーは２回目以降の記録時の消去パワーよりも大きいことを特徴とする。
【発明の効果】
【００１４】
本発明によれば、未記録エリアにデータを記録する場合、あるいは初回記録時における消去比を増大させ、初回記録後の記録部と未記録部の照射エネルギ差を抑制することで、既記録エリアにデータを記録する場合、あるいは２回目以降の記録時におけるジッタ増大を抑制して高品質にデータを記録できる。
【発明を実施するための最良の形態】
【００１５】
以下、図面に基づき本発明の実施形態について説明する。
【００１６】
図１に、本実施形態に係る光ディスク装置の全体構成図を示す。ＤＶＤ±ＲＷ、ＤＶＤ−ＲＡＭ等の書換可能な光ディスク１０はスピンドルモータ（ＳＰＭ）１２により回転駆動される。スピンドルモータＳＰＭ１２は、ドライバ１４で駆動され、ドライバ１４はサーボプロセッサ３０により所望の回転速度となるようにサーボ制御される。
【００１７】
光ピックアップ１６は、レーザ光を光ディスク１０に照射するためのレーザダイオード（ＬＤ）や光ディスク１０からの反射光を受光して電気信号に変換するフォトディテクタ（ＰＤ）を含み、光ディスク１０に対向配置される。光ピックアップ１６はスレッドモータ１８により光ディスク１０の半径方向に駆動され、スレッドモータ１８はドライバ２０で駆動される。ドライバ２０は、ドライバ１４と同様にサーボプロセッサ３０によりサーボ制御される。また、光ピックアップ１６のＬＤはドライバ２２により駆動され、ドライバ２２は、オートパワーコントロール回路（ＡＰＣ）２４により、駆動電流が所望の値となるように制御される。ＡＰＣ２４及びドライバ２２は、システムコントローラ３２からの指令によりＬＤの発光量を制御する。図ではドライバ２２は光ピックアップ１６と別個に設けられているが、ドライバ２２を光ピックアップ１６に搭載してもよい。
【００１８】
光ディスク１０に記録されたデータを再生する際には、光ピックアップ１６のＬＤから再生パワーのレーザ光が照射され、その反射光がＰＤで電気信号に変換されて出力される。光ピックアップ１６からの再生信号はＲＦ回路２６に供給される。ＲＦ回路２６は、再生信号からフォーカスエラー信号やトラッキングエラー信号を生成し、サーボプロセッサ３０に供給する。サーボプロセッサ３０は、これらのエラー信号に基づいて光ピックアップ１６をサーボ制御し、光ピックアップ１６をオンフォーカス状態及びオントラック状態に維持する。また、ＲＦ回路２６は、再生信号に含まれるアドレス信号をアドレスデコード回路２８に供給する。アドレスデコード回路２８はアドレス信号から光ディスク１０のアドレスデータを復調し、サーボプロセッサ３０やシステムコントローラ３２に供給する。
【００１９】
アドレス信号の１つの例はウォブル信号であり、光ディスク１０の絶対アドレスを示す時間情報の変調信号で光ディスク１０のトラックをウォブルさせ、このウォブル信号を再生信号から抽出しデコードすることでアドレスデータ（ＡＴＩＰ）を得ることができる。また、ＲＦ回路２６は、再生ＲＦ信号を２値化回路３４に供給する。２値化回路３４は、再生信号を２値化し、得られた信号をエンコード／デコード回路３６に供給する。エンコード／デコード回路３６では、２値化信号を復調及びエラー訂正して再生データを得、当該再生データをインタフェースＩ／Ｆ４０を介してパーソナルコンピュータなどのホスト装置に出力する。なお、再生データをホスト装置に出力する際には、エンコード／デコード回路３６はバッファメモリ３８に再生データを一旦蓄積した後に出力する。
【００２０】
光ディスク１０にデータを記録する際には、ホスト装置からの記録すべきデータはインターフェースＩ／Ｆ４０を介してエンコード／デコード回路３６に供給される。エンコード／デコード回路３６は、記録すべきデータをバッファメモリ３８に格納し、当該記録すべきデータをエンコードして変調データとしてライトストラテジ回路４２に供給する。ライトストラテジ回路４２は、変調データを所定の記録ストラテジに従ってマルチパルス（パルストレーン）に変換し、記録データとしてドライバ２２に供給する。記録ストラテジは記録品質に影響することから、データ記録に先立って最適化が行われる。すなわち、光ディスク１０の所定のテストエリアにおいて記録ストラテジを種々変化させてテストデータを試し書きし、試し書きしたテストデータを再生してその信号品質を評価する。そして、評価結果に基づいて最適な記録ストラテジが選択される。記録データによりパワー変調されたレーザ光は光ピックアップ１６のＬＤから照射されて光ディスク１０にデータが記録される。より特定的には、消去パワーに記録パワーが重畳されたレーザ光でデータが記録され、消去パワー領域で既に記録されたデータを消去しつつ、記録パワー領域でデータを記録する（オーバライト記録）。データを記録した後、光ピックアップ１６は再生パワーのレーザ光を照射して当該記録データを再生し、ＲＦ回路２６に供給する。ＲＦ回路２６は再生信号を２値化回路３４に供給し、２値化されたデータはエンコード／デコード回路３６に供給される。エンコード／デコード回路３６は、変調データをデコードし、バッファメモリ３８に記憶されている記録データと照合する。ベリファイの結果はシステムコントローラ３２に供給される。システムコントローラ３２はベリファイの結果に応じて引き続きデータを記録するか、あるいは交替処理を実行するかを決定する。
【００２１】
システムコントローラ３２は、システム全体の動作を制御し、特に記録に先立つＯＰＣ（OPtimum Power Control：記録パワーの最適化）と、記録ストラテジの最適化を実行する。ＯＰＣでは、光ディスク１０のテストエリアに記録パワーを階段状に変化させてテストデータを試し書きし、試し書きしたテストデータを再生してそのβ値やγ値、変調度、エラーレート等を測定する。そして、エラーレート等の再生信号品質が所望の値となる記録パワーを選択して最適記録パワーＰｏとする。システムコントローラ３２は、選択した記録パワーＰｏとなるようにドライバ２２を制御する。記録ストラテジの最適化では、光ディスク１０の種類毎に記録ストラテジを変化させてテストデータを試し書きし、テストデータを再生してエラーレート等を測定し、特定の評価基準に従って各記録ストラテジを評価する。
【００２２】
このような構成において、書換可能な光ディスク１０の場合、上記のように初回の記録よりも２回目の記録、すなわち１回目のオーバライト記録の方がジッタが増大する。この理由として、従来技術では製造後の全面的に未記録である状態に最初に所定位置に記録した記録マークと、記録マークが記録された所定位置にオーバライトして得られた記録マークとでは、記録状態に対応する記録層の相状態や未記録状態に対応する記録層の相状態に原子の配列等何らかの差異があるためとしている。
【００２３】
図２に、データを記録するための記録ストラテジと形成される記録マークとの関係を示す。記録ストラテジはマルチパルスであり、パワーレベルとして再生パワー、消去パワー及び記録パワーを有する。再生パワー＜消去パワー＜記録パワーであり、記録パワーをマルチパルスで構成する。マルチパルスのパルス数は記録すべきデータのデータ長に応じて設定され、マルチパルスのパルス幅は最適値に調整される。再生パワーに消去パワーが重畳され、さらに消去パワーに記録パワーが重畳され、消去パワーで既記録データを消去しつつ記録パワーで新たなデータを記録する。このような記録ストラテジで初回記録時に光ディスク１０のある情報トラックにマーク１００及びマーク２００を記録したものとする。次に、２回目の記録（１回目のオーバライト）時に同一情報トラックにマーク３００及びマーク４００をオーバライトするものとする。この場合、マーク３００及びマーク４００のいずれもマーク１００及びマーク２００の端部を跨いでいない。
【００２４】
一方、２回目の記録時に同一情報トラックにマーク５００をオーバライトするものとする。この場合、マーク５００はマーク１００の端部を跨ぐようになっている。このような、場合、マーク５００は記録部と未記録部のいずれも含むことになり、記録部と未記録部における構造上の差異により記録部と未記録部の境界においてマーク５００の形状が乱れるおそれがある。
【００２５】
本願出願人は、このように初回の記録よりも２回目の記録（１回目のオーバライト）でジッタが増大してしまうのは、マーク５００のように初回の記録で記録されたマーク１００の端部を跨ぐように記録することが原因の一つと考え、たとえ２回目の記録で既記録マークの端部を跨ぐような記録が行われたとしてもジッタの増大を抑えるべく、初回の記録における記録部と未記録部における構造上の差異を縮小化する。構造上の差異を縮小化するためには、記録部と未記録部における照射レーザ光パワーの差異を小さくすればよく、記録部には記録パワー、未記録部には消去パワーのレーザ光が照射されるから、初回記録時には記録パワーと消去パワーの差異を小さくすればよい。このような技術思想に基づき、本実施形態では、初回記録時とそれ以外とで、記録パワーと消去パワーの比、すなわち記録パワーに対する消去パワーの比である消去比ε＝（消去パワー）／（記録パワー）を変化させる。
【００２６】
図３に、記録回数に対する消去比の変化を示す。図中横軸は記録回数、縦軸は消去比である。１回目の記録、すなわち未記録の光ディスク１０に最初に記録する場合には消去比βとし、２回目以降の記録、すなわち１回目以降のオーバライトでは消去比をβよりも小さいαとする。言い換えれば、初回の記録に限って、消去比をαよりも増大させてβとしてデータを記録する。これにより、図２におけるマーク１００の端部において記録部と未記録部の構造上の相違が縮小し、２回目の記録でマーク５００を記録したとしてもマーク１００の端部における構造上の相違が小さいことからマーク５００の形状の乱れが抑制され、ジッタ増大を抑制することができる。
【００２７】
なお、消去比は上記のとおり記録パワーに対する消去パワーの比として定義されるから、初回記録時の消去比を増大させるためには、初回記録時の消去パワーを増大させるか、あるいは初回記録時の記録パワーを低減すればよい。あるいは、初回記録時の消去パワーを増大させるとともに記録パワーを低減すればよい。本実施形態では、初回記録時の消去パワーを増大させる場合について説明する。
【００２８】
図４に、初回記録時の消去パワーを種々変化させて２回目の記録（１回目のオーバライト）を行った場合のジッタ変化を示す。図において、横軸は２回目の記録における記録パワー（ｍＷ）であり、２回目の記録における消去比εはε＝０．３１である。縦軸は相対ジッタである。初回記録時の記録パワーは２３．５ｍＷであり、初回記録時の消去パワーを変化させることで消去比をε＝０．２１（２１％）、ε＝０．３９（３９％）、ε＝０．４７（４７％）と変化させた場合を示す。いずれの場合も、２回目の記録における記録パワーを大きくするとジッタが低減し、さらに記録パワーを大きくすると逆にジッタが増大する傾向を示すが、初回記録の消去比εが２１％、３９％、４７％と増大するほど、ジッタは低減している。本願出願人は、図４に示す消去比２１％、３９％、４７％の他に、消去比１９％から消去比４７％まで２％刻みで消去比を変化させてジッタ変化を測定したが、消去比が増大するほどジッタが低減する傾向にあることを確認している。
【００２９】
このことから、初回記録時の消去パワーを増大させることで、２回目以降の記録のジッタを低減でき、記録品質に優れたデータ記録を可能とできることがわかる。しかも、本実施形態では、消去パワーを増大させるのは初回記録時のみであるため、書換回数には殆ど影響せず、書換回数劣化のおそれもない。
【００３０】
なお、消去パワーをあまりに増大させると記録パワーに近づき、消去パワーでデータを記録してしまうことになるため、消去パワーの上限が存在することは当然であり、この上限を超えない範囲（記録層を融点以上に加熱しないパワー）で消去パワーを増大調整すればよい。
【００３１】
消去パワーの調整方法は具体的には以下のとおりである。すなわち、記録パワー及び消去パワーは、通常光ディスク１０のテストエリアに種々の記録パワーでテストデータを試し書きし、テストデータを再生して得られるβ値やジッタ、変調度、γ値、エラーレート等の再生信号品質に基づいて最適記録パワーＰｏを設定する（ＯＰＣ：Optimum Power Control）。そして、予め定められた消去比εを用いて、Ｐｅ＝ε・Ｐｏにより最適消去パワーを設定する。２回目以降の記録ではこのようにして設定された最適記録パワーＰｏ及び最適消去パワーＰｅでデータ記録を行うが、初回記録時にはＰｅに対して所定の係数Ｋ（Ｋ＞１）を乗じたＫ・Ｐｅを消去パワーとする。これにより、初回記録時のみ消去パワーを増大させてデータを記録することができる。もちろん、予め定められた消去比εとして、初回記録用のε１とそれ以外のεとを用意し（但し、０＜ε＜ε１＜１）、初回記録時のみＰｅ＝ε１・Ｐｏにより消去パワーを設定してもよい。
【００３２】
図５に、本実施形態の処理フローチャートを示す。光ディスク１０が装着されると、システムコントローラ３２は、まずＯＰＣを実行してその光ディスク１０に対する最適記録パワーＰｏを設定する（Ｓ１０１）。すなわち、光ディスク１０のテストエリアまで光ピックアップ（ＰＵ）１６をシークし、記録パワーを変化させてテストデータを試し書きし、該テストデータを再生してそのβ値や変調度を測定する。そして、目標β値となる記録パワーを最適記録パワーＰｏとし、あるいは変調度の傾きが所定値となる上限記録パワーを定数倍して最適記録パワーＰｏとする。最適記録パワーＰｏを設定した後、システムコントローラ３２は予めメモリに格納されている消去比εを読み出し、あるいは光ディスク１０のリードインエリアに格納されている消去比εを取得して、最適記録パワーＰｏにεを乗じることで最適消去パワーＰｅ＝ε・Ｐｏを設定する（Ｓ１０２）。
【００３３】
ＯＰＣを実行してＰｏ及びＰｅを設定した後、光ディスク１０のユーザデータ領域にユーザデータを記録する。記録に際し、今回の記録が初回の記録であるか否かを判定し（Ｓ１０３）、初回の記録ではなく２回目以降の記録、すなわちオーバライトである場合には、Ｓ１０１及びＳ１０２で設定したＰｏ及びＰｅをそのまま適用してデータを記録する（Ｓ１０５）。一方、初回の記録である場合には、システムコントローラ３２は予めメモリに格納されている係数Ｋ（Ｋ＞１）を読み出し、Ｐｅに係数Ｋを乗じることで最適消去パワーを増大調整する（Ｓ１０４）。消去パワーを増大させることで消去比を増大させた後、最適記録パワーＰｏ及び消去パワーＫ・Ｐｅでデータを記録する（Ｓ１０５）。
【００３４】
なお、初回の記録であるか否かは、特開２００３−２３３９０７号公報に開示された方法を用いて判定できる。消去パワーのレーザ光を照射したときの光ディスク１０からの反射光にＲＦ成分が含まれているか否かを検波回路で検波し、ＲＦ成分が含まれていなければ初回の記録（未記録部に対する記録）であり、ＲＦ成分が含まれていれば２回目以降の記録（既記録部に対する記録）と判定できる。あるいは、光ディスク１０の所定エリアに記録状況についてのデータを記録し、このデータを読み出すことで初回の記録か２回目以降の記録であるかを判定してもよい。
【００３５】
図６に、本実施形態の他の処理フローチャートを示す。光ディスク１０が装着されると、システムコントローラ３２は、光ディスク１０のリードインエリアに格納されている光ディスク情報を読み出す。光ディスク１０のリードインエリアには、図７Ａに示すような初回記録時において用いるべき最適消去パワーＰｅ１と最適記録パワーＰｏ１のデータセット１０ａ、及び２回目以降の記録時において用いるべき最適消去パワーＰｅと最適記録パワーＰｏのデータセット１０ｂが記録されており、システムコントローラ３２はこれらの情報を取得してメモリに格納する（Ｓ２０１）。ここに、Ｐｅ１＞Ｐｅ、Ｐｏ１＝Ｐｏである。
【００３６】
次に、光ディスク１０のユーザデータ領域にデータを記録する際に、初回の記録であるか否かを判定する（Ｓ２０２）。そして、初回の記録である場合には、メモリから（Ｐｏ１、Ｐｅ１）を読み出して記録パワーをＰｏ１、消去パワーをＰｅ１に設定してデータを記録する（Ｓ２０３、Ｓ２０４）。２回目以降の記録の場合には、メモリから（Ｐｏ、Ｐｅ）を読み出して記録パワーをＰｏ、消去パワーをＰｅに設定してデータを記録する（Ｓ２０４、Ｓ２０５）。
【００３７】
光ディスク１０のリードインエリアに記録するデータとしては、図７Ａに示すような消去パワーと記録パワーのデータセット１０ａ、１０ｂではなく、図７Ｂに示すような初回記録時に用いるべき消去比ε１のデータ１０ａと２回目以降の記録時に用いるべき消去比εのデータ１０ｂでもよい。
【００３８】
本実施形態では、初回記録時（未記録部への記録）の消去パワーを２回目以降の記録時（既記録部への記録）よりも増大させることで初回記録時の消去比を増大させているが、上記のとおり、初回記録時の消去パワーを増大させるとともに初回記録時の記録パワーを低減させてもよい。この場合、例えばＯＰＣにより最適記録パワーＰｏを設定し、所定の消去比εをＰｏに乗じて最適消去パワーを設定した後、初回記録時にはＰｏに所定の係数Ｊ（Ｊ＜１）を乗じて記録パワーをＪ・Ｐｏとし、Ｐｅに所定の係数Ｋ（Ｋ＞１）を乗じて記録パワーをＫ・Ｐｅとしてもよい。但し、Ｊ・Ｐｏ＞Ｋ・Ｐｅである。あるいは、図７Ａにおいて、Ｐｏ１＜Ｐｏとしてもよい。
【００３９】
また、本実施形態では、図３に示すとおり２回目以降の消去比は同一としているが、初回の記録の消去比を２回目の記録の消去比に対して増大させる限り、２回目以降の消去比を任意に変化させてもよい。
【図面の簡単な説明】
【００４０】
【図１】実施形態における光ディスク装置の構成ブロック図である。
【図２】記録ストラテジと初回記録時及び２回目記録時のマークの位置関係を示す説明図である。
【図３】記録回数と消去比の関係を示すグラフ図である。
【図４】消去パワーとジッタとの関係を示すグラフ図である。
【図５】実施形態の処理フローチャートである。
【図６】実施形態の他の処理フローチャートである。
【図７Ａ】光ディスクに記録されるデータ説明図である。
【図７Ｂ】光ディスクに記録される他のデータ説明図である。
【符号の説明】
【００４１】
１０  光ディスク、１６  光ピックアップ（ＰＵ）、３２  システムコントローラ、１００，２００  初回記録時の記録マーク、３００〜５００  ２回目記録時の記録マーク。
【図１】
2007305219.tif 000003
【図２】
2007305219.tif 000004
【図３】
2007305219.tif 000005
【図４】
2007305219.tif 000006
【図５】
2007305219.tif 000007
【図６】
2007305219.tif 000008
【図７Ａ】
2007305219.tif 000009
【図７Ｂ】
2007305219.tif 000010